(57)【要約】【課題】特別な換気装置を設けることなく、炎天下時の冷房運転初期の冷房性能の向上を図る。【解決手段】車室内へ空調風を送り込むための送風路の上流端に、（ａ）外気吸込口１１を全開且つ内気吸込口１２を全閉とする全外気モード、（ｂ）外気吸込口１１を全閉且つ内気吸込口１２を全開とする全内気モード、（ｃ）外気吸込口１１及び内気吸込口１２を共に開とする内外気混合モード、の３つのモードを選択可能なインテークユニット１０を備えた自動車用空調装置において、所定の車室内温度上昇が予測される条件下において空調装置の送風機２２がＯＦＦされたとき、自然対流を利用してインテークユニット内の通路経由で車室内の空気を車室外に排出するべく、インテークユニットを前記（ｃ）の内外気混合モードに切り換える制御手段１００を備えた。【選択図】図１
2005145105.tif 000002
【特許請求の範囲】
【請求項１】
車室内へ空調風を送り込むための送風路の上流端に、
（ａ）外気吸込口（１１）を全開且つ内気吸込口（１２）を全閉とする全外気モード、
（ｂ）外気吸込口（１１）を全閉且つ内気吸込口（１２）を全開とする全内気モード、
（ｃ）外気吸込口（１１）及び内気吸込口（１２）を共に開とする内外気混合モード、
の３つのモードを選択可能なインテーク手段（１０、１０Ｂ、１０Ｃ）を備えた自動車用空調装置において、
所定の車室内温度上昇が予測される条件下において空調装置の送風機（２２）がＯＦＦされたとき、前記インテーク手段（１０、１０Ｂ、１０Ｃ）を前記内外気混合モードに切り換える制御手段（１００）を備えたことを特徴とする自動車用空調装置。
【請求項２】
請求項１記載の自動車用空調装置であって、
前記制御手段（１００）が、前記所定の車室内温度上昇が予測される条件として、炎天下での駐車を条件として判断することを特徴とする自動車用空調装置。
【発明の詳細な説明】
【技術分野】
【０００１】
本発明は、全外気モード、全内気モード、内外気混合モード、の３つのモードを選択可能なインテーク手段を備えた自動車用空調装置に関するものである。
【背景技術】
【０００２】
炎天下で停車していると、車室内、特にインストルメントパネル内部が極めて高温となる。その状態で車に乗り込み、エアコンを始動すると、車室内及びインストルメントパネル内の熱気により、冷房効果が減じられるので、クールダウンに時間がかかることになる。そこで、それの防止のために換気装置を作動させることが考えられる（例えば、特許文献１参照）。
【特許文献１】特開２０００−２０３２４３号公報
【発明の開示】
【発明が解決しようとする課題】
【０００３】
しかし、停車中に換気装置を作動させると、余分なエネルギが必要となる。また、換気装置がない車に換気装置を追加すると、余分なスペースが必要となる上、コストアップになる。
【０００４】
本発明は、上記事情を考慮し、特別な換気装置を設けることなく（つまり、余分なコストアップを招いたり、余分なエネルギを使うことなく）、炎天下時の冷房運転初期の冷房性能の向上を図ることのできる自動車用空調装置を提供することを目的とする。
【課題を解決するための手段】
【０００５】
請求項１の発明は、車室内へ空調風を送り込むための送風路の上流端に、
（ａ）外気吸込口を全開且つ内気吸込口を全閉とする全外気モード、
（ｂ）外気吸込口を全閉且つ内気吸込口を全開とする全内気モード、
（ｃ）外気吸込口及び内気吸込口を共に開とする内外気混合モード、
の３つのモードを選択可能なインテーク手段を備えた自動車用空調装置において、所定の車室内温度上昇が予測される条件下において空調装置の送風機がＯＦＦされたとき、前記インテーク手段を前記内外気混合モードに切り換える制御手段を備えたことを特徴とする。
【０００６】
請求項２の発明は、請求項１記載の自動車用空調装置であって、前記制御手段が、前記所定の車室内温度上昇が予測される条件として、炎天下での駐車を条件として判断することを特徴とする。
【発明の効果】
【０００７】
請求項１の発明によれば、所定の車室内温度上昇が予測される条件下において送風機がＯＦＦされたとき、インテーク手段が内外気混合モードに切り換えられることにより、外気吸込口及び内気吸込口が共に開になって互いに連通するので、インテーク手段内の通路を経由して自然対流により、車室内の空気を車室外へ排出することができる。即ち、特別な換気装置を設けずに、自然換気することができる。従って、自然換気により車室内の高温化を防ぐことができ、次に冷房運転を開始した際の熱負荷を減らせて、クールダウン時間を短縮できる。
【０００８】
請求項２の発明によれば、制御手段が、炎天下で駐車した場合に、インテーク手段を内外気混合モードに切り換えて自然換気を行わせるので、車室内、特にインストルメントパネル内が極高温になるのを有効に防ぐことができ、次に冷房運転を開始した際のクールダウン時間を短縮できる。
【発明を実施するための最良の形態】
【０００９】
以下、本発明の実施形態を図面を参照して説明する。
【００１０】
図１は実施形態の自動車用空調装置（エアコン）の概略構成を示す図で、インテークユニットを内外気混合モードに設定した状態を示す側断面図、図２はインテークユニットを全外気モードに設定した状態を示す要部側断面図、図３はインテークユニットを全内気モードに設定した状態を示す要部側断面図である。
【００１１】
図１において、１はインストルメントパネル、２はフロントガラス、３はフロントガラスの前のカウル、４は内気を取り入れる通路となるインストルメントパネル内の空間、５はその空間４に通じている車室内空間、１０はインテークユニット（インテーク手段）、２０は送風機２２を内蔵したブロアユニット、３０は空調ユニットである。
【００１２】
空調装置を構成するこれらインテークユニット１０、ブロアユニット２０、空調ユニット３０は、この順に接続されることにより、全体で、車室内空間５へ空調風を送り込むための送風路（特に符号は付さず）を形成しており、その上流端にインテークユニット１０が位置している。ブロアユニット２０の吸込口２１は上を向いており、その吸込口２１に、インテークユニット１０の通風用開口が連通している。
【００１３】
インテークユニット１０は、外気吸込口１１と内気吸込口１２とを有するインテークボックス１３に、２つのドア１４Ａ、１４Ｂを開閉可能に取り付けたもので、ドア１４Ａ、１４Ｂの開閉位置を切り換えることにより、次の３つのモードを選択できるようになっている。
【００１４】
（ａ）外気吸込口１１を全開且つ内気吸込口１２を全閉とする全外気モード（図２参照）
（ｂ）外気吸込口１１を全閉且つ内気吸込口１２を全開とする全内気モード（図３参照）
（ｃ）外気吸込口１１及び内気吸込口１２を共に開とする内外気混合モード（図１参照）
本実施形態における（ｃ）の内外気混合モードは、２つのドア１４Ａ、１４Ｂのうち、１つのドア１４Ａを外気取入側の位置に設定し、もう１つのドア１４Ｂを内気取入側の位置に設定するモードである。
【００１５】
インテークボックス１３に形成された内気吸込口１２は、インストルメントパネル内の空間４の下端部に連通し、外気吸込口１１は、フロントガラス２の下端前方のカウル３に形成された開口７に連通している。
【００１６】
通常のエアコン運転において、インテークユニット１０が全外気モードに設定されている時には、外気吸込口１１が全開、内気吸込口１２が全閉となることで、図２の矢印のように外気が取り込まれ、インテークユニット１０が全内気モードに設定されている時には、外気吸込口１１が全閉、内気吸込口１２が全開となることで、図３の矢印のように内気が取り込まれる。また、インテークユニット１０が内外気混合モードに設定されている時には、図１に示すように、片方のドア１４Ａが外気取入側の位置、もう片方のドア１４Ｂが内気取入側の位置となることで、外気と内気が同時に取り込まれる。
【００１７】
空調ユニット３０は、ブロアユニット２０から送り込まれた風Ｆを車室内に向けて流通させるための空調ケーシング３１の内部に、エバポレータ（冷却用熱交換器）３２、エアミックスドア３３、ヒータコア３４等の空調要素を配置すると共に、それらを用いて温度調節した風を車室内に向けて吹き出すフット吹出口３５、ベント吹出口３６、デフ吹出口３７を設けたものである。
【００１８】
この空調装置には、空調制御を行うための制御装置（制御手段）１００が備わっている。この制御装置１００には、各種センサから検出信号が入力されている。センサの種類としては、一つにインストルメントパネル１に設けられた日射センサ５０があり、そのほかに図示しないが、外気温度センサ、内気温度センサ等がある。制御装置１００は、これらの信号や各種スイッチ（図示せず）の設定信号などに応じて空調制御を実施する。
【００１９】
特に、この制御装置１００は、所定の車室内温度上昇が予測される条件下、つまり、日射の強い炎天下において、エアコンがＯＦＦ（ブロアユニットがＯＦＦ）されたとき、インテークユニット１０を、前述した（ｃ）の内外気混合モードに切り換える制御を行うことを特徴とする。
【００２０】
この場合の炎天下の温度上昇時の判定基準としては、次の要素を使用することができる。
【００２１】
（１）内気温度（車室内の温度）
（２）外気温度（車室外の温度）
（３）内外気の温度差
（４）日射量
（５）日射量＋外気温
（６）インパネ表面温度
（７）インパネ内部温度
（８）カウル内温度とインパネ内温度の差
例えば、（４）の要素を使用した場合には、日射量が所定以上で外気温度が所定以上のとき、炎天下で温度上昇の可能性が高いと判断し、エンジンＯＦＦ（同時にエアコンもＯＦＦとなる）による停車時に、強制的にインテークユニット１０を（ｃ）内外気混合モードに切り換える。
【００２２】
こうすることで、日射の影響により高温となったインストルメントパネル１内（または車室内）の空気は、図１に矢印で示すように、（車室内→）インストルメントパネル１内→内気吸込口１２→インテークユニット１０内の通路→外気吸込口１１→カウル３の開口７→車室外、という経路で自然対流により車室外へ排気される。
【００２３】
このようにこの実施形態によれば、特別な換気装置を設けないでも、停車中に車室内の自然換気を行うことができ、車室内の高温化を防ぐことができる。その結果、次にエアコンを始動した際の熱負荷を減らすことができて、クールダウン時間を短縮することができる。また、車室内の熱気の溜まりを抑制できることから、インパネ周辺の臭いの発生も抑えられる。
【００２４】
また、この実施形態では、車室内の熱気を熱対流により車室外に排気しやくするため、インテークユニット１０の内気吸込口１２より外気吸込口１１を高い位置に配置している。また、内気吸込口１２と外気吸込口１１とを近くに配置している。具体的に、両方を満足する構造として、略直方形のインテークユニット１０の上面に外気吸込口１１を設け且つ側面に内気吸込口１２を設けてある。
【００２５】
なお、上記実施形態のインテークユニット１０においては、２つのドア１４Ａ、１４Ｂの切り換えにより、前述の（ａ）、（ｂ）、（ｃ）の３つのモードを選択するようにしたが、本発明にあっては、図４の実施形態に示すインテークユニット１０Ｂのように１つの回転式ドア６４の開度を調節（回動角度を調節）することで、３つのモードを選択的に設定できるようにしてもよいし、図５の実施形態に示すインテークユニット１０Ｃのように１つのスライド式ドア７４の開度を調節（スライド位置を調節）することで、３つのモードを選択的に設定できるようにしてもよい。図４、図５はいずれも、（ｃ）内外気混合モード時の状態を示している。図中の矢印は、エアコンＯＦＦ時の自然対流による熱気の流れを示す。
【図面の簡単な説明】
【００２６】
【図１】本発明の実施形態の概略構成を示す図で、インテークユニットを内外気混合モードに設定した状態を示す側断面図である。
【図２】前記インテークユニットを全外気モードに設定した状態を示す要部側断面図である。
【図３】前記インテークユニットを全内気モードに設定した状態を示す要部側断面図である。
【図４】本発明の他の実施形態の概略構成を示す側断面図である。
【図５】本発明の更に他の実施形態の概略構成を示す側断面図である。
【符号の説明】
【００２７】
１０，１０Ｂ，１０Ｃ  インテークユニット（インテーク手段）
１１  外気吸込口
１２  内気吸込口
２２  送風機
１００…制御装置（制御手段）
【図１】
2005145105.tif 000003
【図２】
2005145105.tif 000004
【図３】
2005145105.tif 000005
【図４】
2005145105.tif 000006
【図５】
2005145105.tif 000007